(57)【要約】      （修正有）【課題】既存のトイレットペーパー用ホルダーに装着出来、しかも嵩張ることなく薬液をトイレットペーパーにしみ込み可能なトイレットペーパーロール用の薬液ホルダーを提供する。【解決手段】  トイレットペーパーロールの巻芯部に設けられた筒状空間に装着されるトイレットペーパーロール用の薬液ホルダーであって、前記トイレットペーパーロールの全幅と略同程度の所定の全長と、前記筒状空間の内径よりも若干小さく形成された外径寸法の中空円筒状の筒状体と、当該筒状体の両端の開口を塞ぐ蓋体によって構成され、前記筒状体の外周面には、複数個の小径の円形孔若しくは複数本の長手方向に沿って形成された細幅の長孔が形成されおり、前記筒状体の両端面を構成する蓋体の中央には、トイレットペーパーホルダーの装着部と係合する孔、凹部、凸部等の係合手段が設けられているとともに、前記蓋体の少なくとも一方は、前記筒体に対して着脱可能となっていること。【選択図】図１
2006149951.tif 000002
【特許請求の範囲】
【請求項１】
トイレットペーパーロールの巻芯部に設けられた筒状空間に装着されるトイレットペーパーロール用の薬液ホルダーであって、
前記トイレットペーパーロールの全幅と略同程度の所定の全長と前記筒状空間の内径よりも若干小さく形成された外径寸法を有した中空円筒状の筒状体と、
当該筒状体の両端の開口を塞ぐ蓋体によって構成され、
前記筒状体の外周面には、複数個の小径の円形孔若しくは複数本の長手方向に沿って形成された細幅の長孔が形成されおり、
前記筒状体の両端面を塞ぐ蓋体の中央には、トイレットペーパーホルダーの装着部と係合する孔、凹部、凸部等の係合手段が設けられているとともに、前記蓋体の少なくとも一方は、前記筒体に対して着脱可能となっていることを特徴とするトイレットペーパーロール用の薬液ホルダー。
【請求項２】
トイレットペーパーロールの巻芯部に設けられた筒状空間に装着されるトイレットペーパーロール用の薬液ホルダーであって、
前記トイレットペーパーロールの全幅と略同程度の所定の全長と前記筒状空間の内径よりも若干小さく形成された外径寸法を有した中空円筒状の筒状体と、
当該筒状体の両端の開口を塞ぐ蓋体によって構成され、
前記筒状体の両端面を塞ぐ蓋体は、前記トイレットペーパーロールの最大外径よりも若干小径の外径寸法を有する円板として構成されており、
当該蓋体の中央の外側面には、トイレットペーパーホルダーの装着部と係合する孔、凹部、凸部等の係合手段が設けられているとともに、当該蓋体の内側面には中央から外周方向に向かって複数条の溝が設けられており、
当該蓋体の双方若しくは一方には、前記筒状体の端面に対して着脱可能となる装着部が設けられていることを特徴とするトイレットペーパーロール用の薬液ホルダー。
【発明の詳細な説明】
【技術分野】
【０００１】
本願発明は、トイレットペーパーロールに装着してトイレットペーパーロールをホルダーに保持させるために使用する芯部材であって、特に、芯部材内部に薬液を入れることにより、当該薬液を外周面等より染み出させ、当該染み出た薬液によってトイレットペーパーロール全体を潤湿させる機能を有した薬液ホルダーに関するものである。
【背景技術】
【０００２】
従来、トイレットペーパーに薬液を染みこませる給液装置付き紙巻きホルダーが知られている（特許文献１）。当該特許文献１記載の給液装置付き紙巻きホルダーは、所定部位を押すことにより薬液を排出する容器を有し、当該容器を一般的な紙巻きホルダーに装着し、トイレットペーパーを薬液により湿らせた状態で使用できるように構成したものである。
その他、水や薬液等によりトイレットペーパーを湿らせることを特徴とした技術に関し、複数の開示がある（特許文献２、３等）。
【０００３】
【特許文献１】実公昭５６−４６６３８号公報
【特許文献２】登録実用新案第３００７５２６号公報
【特許文献３】実開昭６３−１０９９３号公報
【発明の開示】
【発明が解決しようとする課題】
【０００４】
従来より、上記のようなトイレットペーパーに薬液をしみこませる給液装置付き紙巻きホルダー等が知られている。しかし、いずれも装置として大型であり、かさばるものであった。本願発明は当該課題に鑑み、既存のトイレットペーパー用ホルダーに装着出来、しかもかさばることなく、薬液をトイレットペーパーにしみ込ませることができるトイレットペーパーロール用の薬液ホルダーを提供することを課題とする。
【課題を解決するための手段】
【０００５】
本願請求項１に係るトイレットペーパーロール用の薬液ホルダーは、上記課題を解決するため以下の手段を有する。すなわち、
トイレットペーパーロールの巻芯部に設けられた筒状空間に装着されるトイレットペーパーロール用の薬液ホルダーであって、
前記トイレットペーパーロールの全幅と略同程度の所定の全長と前記筒状空間の内径よりも若干小さく形成された外径寸法を有する中空円筒状の筒状体と、
当該筒状体の両端の開口を塞ぐ蓋体によって構成され、
前記筒状体の外周面には、複数個の小径の円形孔若しくは複数本の長手方向に沿って形成された細幅の長孔が形成されおり、
前記筒状体の両端面を塞ぐ蓋体の中央には、トイレットペーパーホルダーの装着部と係合する孔、凹部、凸部等の係合手段が設けられているとともに、前記蓋体の少なくとも一方は、前記筒体に対して着脱可能となっている。
【０００６】
本願請求項２に係るトイレットペーパーロール用の薬液ホルダーは、上記課題を解決するため以下の手段を有する。すなわち、
トイレットペーパーロールの巻芯部に設けられた筒状空間に装着されるトイレットペーパーロール用の薬液ホルダーであって、
前記トイレットペーパーロールの全幅と略同程度の所定の全長と前記筒状空間の内径よりも若干小さく形成された外径寸法を有した中空円筒状の筒状体と、
当該筒状体の両端の開口を塞ぐ蓋体によって構成され、
前記筒状体の両端面を構成する蓋体は、前記トイレットペーパーロールの最大外径よりも若干小径の外径寸法を有する円板として構成されており、
当該蓋体の中央の外側面には、トイレットペーパーホルダーの装着部と係合する孔、凹部、凸部等の係合手段が設けられているとともに、当該蓋体の内側面には中央から外周方向に向かって複数条の溝が設けられており、
当該蓋体の双方若しくは一方には、前記筒状体の端面に対して着脱可能となる装着部が設けられている。
【発明の効果】
【０００７】
本願発明に係る薬液ホルダーは、トイレットペーパーロールの芯として装着するものであるから、外観上表出する部分が無いのでかさばらないという効果を有している。また、中空の筒状体に孔を空けた簡単な構造であるので、安価かつ動作不良等が発生するおそれが無いという効果を有している。
【０００８】
また、本願発明に係るトイレットペーパーロールの側面覆う円板を設けた薬液ホルダーは、トイレットペーパーロールの芯として装着するものであるから、外観上大きく突出する部分が無いのでかさばらないという効果を有している。また、トイレットペーパーロールの側面覆う円板から薬液を浸透させる構造としているので、トイレットペーパーロールから薬液の通過を妨げる紙芯を抜き取る必要がなく、しかもトイレットペーパーロールの側面全体を覆うようになっているので薬液を浸透させたトイレットペーパーロールの乾燥を遅延させることができるという効果を有している。
【発明を実施するための最良の形態】
【０００９】
以下、本願発明に係るトイレットペーパーロール用の薬液ホルダーの一実施の形態を説明する。図１は、本願発明に係るトイレットペーパーロール用の芯として、トイレットペーパーロールの巻芯部内に装着される薬液ホルダー１の外観斜視図である。
薬液ホルダー１は、現在一般に市販されているトイレットペーパーロールの中心に設けられた孔に挿入されるものであり、全長約１１６ｍｍ、外径約３６ｍｍの中空の筒状体２と、当該筒状体２の両端開口を着脱可能に塞ぐ蓋体３によって構成されている。筒状体２および蓋体３は、ともに硬質の合成樹脂素材によって形成されている。
筒状体２の外周面には、複数の小孔４が穿設されている。なお、当該小孔４の形状は、円形に限らず細長い長孔や、角孔であってもよい。当該孔の形状と開口面積および孔数は、後述する薬液の通過速度や分散の具合によって適宜最適な条件に設定されるものである。
【００１０】
蓋体３は、前記筒状体２の端部の開口に装着されるものであり、一側面には、筒状体２端部の開口部と着脱可能に係合する係合部５が形成されている。当該係合部５は、筒状体２端部の開口部内周との嵌め合いによる摩擦力によって固定されるようになっている。なお、当該係合部５の固定方法は、嵌め合いによる固定方式に限定されるものではない。
また、蓋体３の他側面には、中央にトイレットペーパーホルダー８の装着部と係合する係合手段６が設けられている。当該係合手段６は、孔、円孔状の凹部、円柱状の凸部等であり、既存のトイレットペーパーホルダーの装着部の構造に合わせ適宜選択される形状となっている。
【００１１】
図２は、既存のトイレットペーパーロール７に本願発明に係る薬液ホルダー１を取り付け、薬液ホルダー１を既存のトイレットペーパーホルダー８に装着した状態を表した要部断面図である。
トイレットペーパーロール７には、内径が３８ｍｍ前後の筒状の紙芯が装着された市販のものが用いられるものであり、紙芯を引き抜いた後に、当該紙芯の代わりに薬液ホルダ
ー１を装着する。そして、薬液ホルダー１の両端の係合手段６をトイレットペーパーホルダー８の係合部に取り付けることにより、トイレットペーパーロール７をトイレットペーパーホルダー８に取り付けている（図３参照）。
【００１２】
薬液ホルダー１内には、皮膚清浄用の薬液を充填した袋（図示せず）が収容されるようになっている。当該薬液を充填した袋は、当該袋を破って薬液ホルダー１内に入れるようになっており、袋の破り口から流れ出た薬液が小孔４を介してトイレットペーパーロール７の内側に浸透し、トイレットペーパーロール７の外周に向かって、全体的に薬液が広がるようになっている。
なお、薬液を入れた薬液ホルダー１の装着直後は、トイレットペーパーロール７を空回りさせることにより、遠心力によって薬液ホルダー１の外周から均一に薬液を滲み出させることができ、トイレットペーパーの繊維による毛細管現象によってトイレットペーパーロール７全体にムラ無く薬液を行き渡せることが出来るようになっている。
【００１３】
次に、本願発明に係るトイレットペーパーロール用の薬液ホルダーの他の実施の形態を説明する。図４（ａ）は、本願発明に係るトイレットペーパーロール用の芯として、トイレットペーパーロールの巻芯部内に装着される薬液ホルダー２１の要部断面図である。図４（ｂ）は図４（ａ）のＸ−Ｘ’線断面図である。
薬液ホルダー２１は、前述した薬液ホルダー１と同様に、現在一般に市販されているトイレットペーパーロールの中心に設けられた孔に挿入されるものである。全長約１１６ｍｍ、外径約３６ｍｍの中空の筒状体２２と、当該筒状体２２の両端開口を着脱可能に塞ぐ円板状の蓋体２３によって構成されている。筒状体２２および蓋体２３は、ともに硬質の合成樹脂素材によって形成されている。
【００１４】
蓋体２３は、前記筒状体２２の端部の開口に装着されるものであり、一側面には、筒状体２２端部の開口部と着脱可能に係合する係合部２５が形成されている。当該係合部２５は、筒状体２２端部の開口部内周との嵌め合いによる摩擦力によって固定されるようになっている。なお、当該係合部２５の固定方法は、嵌め合いによる固定方式に限定されるものではない。
また、蓋体２３の他側面には、中央にトイレットペーパーホルダーの装着部と係合する係合手段２６が設けられている。当該係合手段２６は、孔、円孔状の凹部、円柱状の凸部等であり、既存のトイレットペーパーホルダーの装着部の構造に合わせ適宜選択される形状となっている。
【００１５】
蓋体２３は、直径約１００ｍｍ、肉厚２ｍｍ程度のフランジ状の円板体２９を有している。当該円板体２９は、直径が一般的なトイレットペーパーロールの外径と同じか若干小径であり、筒状体２２の両端に配置された状態で円板体２９間の間隔がトイレットペーパーロールの長手方向の長さと略同じ長さとなるように配置されている。すなわち、円板体２９がトイレットペーパーロールの側面に近接若しくは軽く接触する状態で、トイレットペーパーロールの側面を覆い隠すようになっている。
円板体２９の内側面側には、中心部から外周に向かう方向に沿って、複数本の溝３０が設けられている（図４（ｂ）参照）。当該溝３０の中心側端部は、筒状体２２の内部と連通しており、後述するように薬液が筒状体２２の内部から溝３０を伝わって円板体２９の内側面側に導かれるようになっている。
【００１６】
前述した実施の形態においては、薬液ホルダー１を取り付ける際にトイレットペーパーロール７の芯を予め引き抜いたが、本実施の形態にかかる薬液ホルダー２１は紙芯の取り外しを必要としないものである。
薬液ホルダー２１内には、皮膚清浄用の薬液を充填した袋（図示せず）が収容されるようになっている。当該薬液を充填した袋は、当該袋を破って薬液ホルダー２１内に入れる
ようになっており、袋の破り口から流れ出た薬液が筒状体２２の両端部に移動し、当該両端部から円板体２９の溝３０を伝わって円板体２９の内側面に行き渡り、当該円板体２９と接触しているトイレットペーパーロールの側面部分から薬液が内部に浸透するようになっている。また、当該円板体２９はトイレットペーパーロールの一部を覆う構造となっているので、薬液の蒸散を防止しトイレットペーパーロールの乾燥を防ぐことが出来るという作用を有している。
【図面の簡単な説明】
【００１７】
【図１】本願発明に係る薬液ホルダーの外観斜視図である。
【図２】本願発明に係る薬液ホルダーの使用状態を示す要部断面図である。
【図３】本願発明に係る薬液ホルダーの使用状態を示す外観斜視図である。
【図４】本願発明に係る薬液ホルダーの他の実施例を表す要部断面図等である。
【符号の説明】
【００１８】
１  薬液ホルダー
２  筒状体
３  蓋体
４  小孔
５  係合部
６  係合手段
７  トイレットペーパーロール
８  トイレットペーパーホルダー
２１  薬液ホルダー
２２  筒状体
２３  蓋体
２５  係合部
２６  係合手段
２９  円板体
３０  溝
【図１】
2006149951.tif 000003
【図２】
2006149951.tif 000004
【図３】
2006149951.tif 000005
【図４】
2006149951.tif 000006